(57)【要約】      （修正有）【課題】外形の奥行き寸法を大きくすることなく通風抵抗を低減して風量を確保することができる空気調和機の室内機を提供する。【解決手段】上面部に吸込み口１が形成された化粧カバー２と、前記化粧カバー２の前面下部の位置に形成される空気の吹出し口３と、前記吸込み口１に配置されたエアフィルタ８と、前記吸込み口１と前記吹出し口３とを連通する風路を有するケーシング５と、前記ケーシング５と前記吹出し口３とが具備されるキャビネットと、前記キャビネットに配設される熱交換器９および送風機４と、前記送風機４を駆動するモータと、前記モータを制御する電気品と、を備え、前記吸込み口１および前記エアフィルタ８は前記熱交換器９、前記モータおよび前記電気品の上方に位置する。【選択図】図２
2016205675.tif 000002
【特許請求の範囲】
【請求項１】
上面部に吸込み口が形成された化粧カバーと、
前記化粧カバーの前面下部の位置に形成される空気の吹出し口と、
前記吸込み口に配置されたエアフィルタと、
前記吸込み口と前記吹出し口とを連通する風路を有するケーシングと、
前記ケーシングと前記吹出し口とが具備されるキャビネットと、
前記キャビネットに配設される熱交換器および送風機と、
前記送風機を駆動するモータと、
前記モータを制御する電気品と、
を備え、
前記吸込み口および前記エアフィルタは前記熱交換器、前記モータおよび前記電気品の上方に位置すること
を特徴とする空気調和機の室内機。
【請求項２】
上面部に吸込み口が形成された化粧カバーと、
前記化粧カバーの前面下部の位置に形成される空気の吹出し口と、
前記吸込み口に配置されたエアフィルタと、
前記吸込み口と前記吹出し口とを連通する風路を有するケーシングと、
前記ケーシングと前記吹出し口とが具備されるキャビネットと、
前記キャビネットに配設される熱交換器および送風機と、
前記送風機を駆動するモータを制御する電気品と、
を備え、
前記吸込み口および前記エアフィルタは前記熱交換器および前記電気品の上方に位置すること
を特徴とする空気調和機の室内機。
【請求項３】
上面部に吸込み口が形成された化粧カバーと、
前記化粧カバーの前面下部の位置に形成される空気の吹出し口と、
前記吸込み口に配置されたエアフィルタと、
前記吸込み口と前記吹出し口とを連通する風路を有するケーシングと、
前記ケーシングと前記吹出し口とが具備されるキャビネットと、
前記キャビネットに配設される熱交換器および送風機と、
前記送風機を駆動するモータと、
を備え、
前記吸込み口および前記エアフィルタは前記熱交換器および前記モータの上方に位置すること
を特徴とする空気調和機の室内機。
【請求項４】
前記エアフィルタの長手方向の幅寸法は、前記熱交換器の長手方向の幅寸法より大きいこと
を特徴とする、請求項１に記載の空気調和機の室内機。
【請求項５】
前記エアフィルタから前記モータの上部までの距離は、前記エアフィルタから前記電気品を収容する電気品箱の上部までの距離より大きいこと
を特徴とする、請求項１に記載の空気調和機の室内機。
【請求項６】
前記エアフィルタの前面側または側面側には取っ手部が備えられ、
前記取っ手部の表面は、前記化粧カバーの表面と段差がないこと
を特徴とする、請求項１に記載の空気調和機の室内機。
【請求項７】
前記キャビネットの前記モータおよび前記電気品が配設される背面部には、外気と連通して前記モータまたは前記電気品の放熱を促す排熱機構が設けられていないこと
を特徴とする、請求項１に記載の空気調和機の室内機。
【請求項８】
前記熱交換器は前面側熱交換器と背面側熱交換器とがΛ状（逆Ｖ字状）を呈して構成されており、
前記前面側熱交換器の下方には露受け皿が備えられ、
前記露受け皿は前記ケーシングを含む前記キャビネットと一体で成形されていること
を特徴とする、請求項１に記載の空気調和機の室内機。
【請求項９】
前記室内機は、長手方向の側面視において、前記電気品の少なくとも一部は前記熱交換器と重なっているとともに、
前記吸込口から吸い込まれた空気の流れから見て、前記電気品の下流に前記熱交換器が位置することを特徴とする、請求項１に記載の空気調和機の室内機。
【請求項１０】
前記エアフィルタは、少なくとも上面視または正面視で左右対称性を具備するように前記室内機に配設されていることを特徴とする、請求項１に記載の空気調和機の室内機。
【発明の詳細な説明】
【技術分野】
【０００１】
本発明は、空気調和機の室内機に関する。
【背景技術】
【０００２】
従来、空気調和機の室内機は、空気の吸込口を上面側のみならず前面側にも設けることで、風量の確保が比較的容易となるようにされていた。しかし近年、空気調和機はデザイン性が重視され、空気の吸込口は上面側のみとして、前面側は吸込口が廃されたフラットな外観形状が好まれている。また、省エネ指向の高まりに伴って、消費電力の少ない空気調和機が求められている。
【０００３】
ところで、消費電力を少なくするためには、例えば空気の吸込口の面積を大きくすることによって、吸い込み時の空気の通風抵抗を低下させることが考えられる。そして、空気の吐き出し時の風量を増大させる方法が考えられている。
【０００４】
例えば、特許文献１の段落００３５には、「筐体２１の上面部の開口部（上面側空気吸込み部２３０）に取り付けられた上面フィルター２３１は、上記「Λ」状に構成された熱交換器３３の上部を、より具体的には、その前面側熱交換板３３１及び後面側熱交換板３３２の上部を広く覆うように配置されている」空気調和機の室内機が記載されている。
【先行技術文献】
【特許文献】
【０００５】
【特許文献１】特開２０１０−１９０５３３号公報
【発明の概要】
【発明が解決しようとする課題】
【０００６】
特許文献１に記載の空気調和機の室内機では、通風抵抗を低減し風量を増大させるため、上面エアフィルター２３１の前後方向の寸法、すなわち奥行寸法を大きくしていた。
しかしながら、空気の吸込口が上面側にのみ備えられる機種の場合には、デザイン上のスリム感を得ようとすると、室内機自体が外形の奥行寸法の大型化に一定の制約を受ける。その場合、所望の風量を得るという観点において、更なる工夫の余地があった。
【０００７】
そこで本発明は前記の課題に鑑みて為されたものであり、その目的は、外形の奥行き寸法を大きくすることなく通風抵抗を低減して風量を確保することができる空気調和機の室内機を提供することにある。
【課題を解決するための手段】
【０００８】
上記課題を解決するために、本発明は、上面部に吸込み口が形成された化粧カバーと、前記化粧カバーの前面下部の位置に形成される空気の吹出し口と、前記吸込み口に配置されたエアフィルタと、前記吸込み口と前記吹出し口とを連通する風路を有するケーシングと、前記ケーシングと前記吹出し口とが具備されるキャビネットと、前記キャビネットに配設される熱交換器および送風機と、前記送風機を駆動するモータと、前記モータを制御する電気品と、を備え、前記吸込み口および前記エアフィルタは前記熱交換器、前記モータおよび前記電気品の上方に位置することを特徴とする。
【発明の効果】
【０００９】
本発明によれば、外形の奥行き寸法を大きくすることなく通風抵抗を低減して風量を確保することができる空気調和機の室内機を提供できる。
【図面の簡単な説明】
【００１０】
【図１】本発明の実施形態にかかる空気調和機の室内機の斜視図であり、室外機を含めた全体を説明する図である。
【図２】図１のＸ−Ｘ矢視断面図である。
【図３】本発明の実施形態にかかる空気調和機の室内機の上面図である。
【図４】本発明の実施形態にかかる空気調和機の室内機のエアフィルタの斜視図である。
【図５】本発明の実施形態にかかる空気調和機の室内機の化粧カバーを外した時の正面図である。
【図６】空気調和機の室内機のキャビネットのモータ付近の背面図であって、（ａ）は本発明の実施形態にかかる図、（ｂ）は比較例にかかる図である。
【図７】空気調和機の室内機のキャビネットを示す斜視図であって、（ａ）は本発明の実施形態にかかる図で上方から見た図、（ｂ）は本発明の実施形態にかかる図で下方から見た図、（ｃ）は比較例にかかる図で下方から見た図である。
【図８】本発明の実施形態の変形例にかかる空気調和機の室内機であって、（ａ）は室内機全体の外観が分かる斜視図、（ｂ）はエアフィルタの斜視図、（ｃ）は（ａ）のＹ−Ｙ矢視断面図である。
【図９】比較例にかかる空気調和機の室内機の斜視図である。
【発明を実施するための形態】
【００１１】
以下、本発明の実施形態に係わる空気調和機の室内機について、詳細に説明する。
以下では説明の便宜上、各図面で共通する部材には同一の符号を付して重複する説明を省略する。前後上下左右の方向軸については、各図の記載によるものとする。
なお、以下では室内の壁部に取り付けられる壁掛け型の室内機を例に挙げて説明するが、本発明の実施形態は、床置き型の室内機に適用することもできる。
【００１２】
（比較例の説明）
まず初めに、図９の斜視図を参照しながら、比較例にかかる空気調和機の室内機１Ｃについて説明する。
比較例にかかる空気調和機の室内機１Ｃの外観は、化粧カバー２Ｃと、開閉が可能な前面パネル１３と、を含んで構成される。化粧カバー２Ｃの上面には、直下に熱交換器９Ｃが備えられる領域（熱交換器９Ｃの長手方向に沿って左端から右方に向けて幅寸法Ｆの領域）において、上部吸込口１ｃが形成されている。また、前面パネル１３には例えばスリット状の前面吸込口１３ａが形成されている。但し、特にこれらには限定されず、例えば前面パネル１３はフラットな形状として、前面吸込口１３ａを備えないものであってもよい。また、前面パネル１３は化粧カバー２Ｃと射出成形などで一体に成形された物であってもよい。
【００１３】
ここで、上部吸込口１ｃ、および前面吸込口１３ａには、エアフィルタ８Ｃが備えられている。エアフィルタ８Ｃは、吸い込んだ空気中に含まれる塵挨を取るものである。なお、エアフィルタ８Ｃは、上部吸込口１ｃの前記した幅寸法Ｆの領域に対応して、幅寸法Ｆと略同じ大きさの幅を有している。
【００１４】
なお、化粧カバー２Ｃの上面のうち、前記した幅寸法Ｆの右側に隣接する幅寸法Ｇの領域（直下に不図示の電気品箱やモータが設置される領域）においては、上部吸込口１ｃに連続するように形成された格子８ｄが形成されている。なお幅寸法Ｇの領域の格子８ｄは、上面視で外観上の見栄えを良くする目的で、例えば上部吸込口１ｃがバランスよく左右対称に配置されているように見えるように設けられている。但し、実際には幅寸法Ｇの領域の格子８ｄの下部には例えば化粧カバー２Ｃの素材で塞ぐなどの目張りがされていて、エアフィルタ８Ｃはかからないようにされている。つまり、ここからは空気を吸い込むことはできない構造となっている。
【００１５】
ここで、上部吸込口１ｃ、またはエアフィルタ８Ｃを２枚分併せた長手方向の幅寸法は、熱交換器９Ｃの長手方向の幅寸法Ｆとほぼ同寸法となるようにされている。
また、室内機１Ｃの内部において、幅寸法Ｆの領域と幅寸法Ｇの領域との境界部分には、図示しない遮蔽板が備えられ、内部空間が遮蔽されている。つまり、室内機１Ｃの内部において、モータや電気品箱が設置される空間と、熱交換器が設置される空間とは、遮蔽された構造になっている。このようにすることによって、上部吸込口１ｃから吸込まれた空気はエアフィルタ８Ｃを通り、確実に熱交換器９Ｃへと導かれる。
【００１６】
ここで、モータや電気品箱が設置される空間と、熱交換器が設置される空間とを、遮蔽板によって遮蔽する理由は以下の通りである。モータの背面部には排熱対策でスリット１４（後記図６（ｂ）参照）が設けられている。しかし、ここから吸い込まれた空気はエアフィルタ８Ｃを通過することがない。遮蔽板は、このようなエアフィルタ８Ｃを通過しない空気が、熱交換器９Ｃへ流入することを防ぐ目的で設けられる。
なお、この遮蔽板は上部吸込口１ｃからエアフィルタ８Ｃを介して吸い込んだ空気を前記したスリット１４へと迂回させず、確実に熱交換器９Ｃへと誘導することもできる。
【００１７】
なお、比較例にかかる空気調和機の室内機１Ｃにおいて、空気の吸込口が上面側にのみ備えられる機種の場合には、デザイン上のスリム感を得ようとすると、外形の奥行寸法の大型化には一定の制約を受ける。その場合、所望の風量が得られないことがあった。
【００１８】
（実施形態の説明）
次に、図１を参照しながら、本発明の実施形態にかかる空気調和機の室内機、および室外機を含めた全体の外観を説明する。
図１に示すように、本発明の実施形態にかかる空気調和機の室内機１Ａは、部品点数を少なくするために前面パネル部が化粧カバー２と射出成形などで一体構造となるように成形されている。そして、化粧カバー２の上面部には上部吸込口１が形成されている。また、上部吸込口１にはエアフィルタ８が配置されている。つまり、上部吸込口１にはエアフィルタ８が装着され、ここから室内空気を吸い込んで、熱交換器９（後記図２を参照）を介して熱交換を行う。
【００１９】
ここで、エアフィルタ８の正面側には取っ手部８ａが備えられる。この取っ手部８ａは、室内機１Ａの正面側の意匠面をなすようにされている。ここで、エアフィルタ８は不図示のレール片を例えば化粧カバー２にスライド挿入して装着すればよい。なお、化粧カバー２の前面パネル部は空気吸込口が廃されて、フラットな略板状部を有するようにされている。
【００２０】
なお、本実施形態にかかる空気調和機の室内機１Ａは、図示しない圧縮機、室外熱交換器、室外送風機、四方弁、膨張弁を備えた室外機２０と、接続配管２１などを介して接続される。そして、当該接続配管２１を介して冷媒を循環させることで、室内を空調する。
【００２１】
次に、図２を参照しながら、本発明の実施形態にかかる空気調和機の断面構成を説明する。図２は例えば図１のＸ−Ｘ矢視断面図である。
本実施形態にかかる空気調和機の室内機１Ａは、前記したように、略板状部を有する前面パネル部が化粧カバー２と射出成形などで一体成形されている。貫流ファン４（送風機）の運転によって上部吸込口１から吸い込まれた空気は、エアフィルタ８で空気中の塵埃がフィルタリングされ、熱交換器９へと送られる。熱交換器９は、前面側に配置される熱交換器と、背面側に配置される熱交換器とを含んでなる。前面側に配置される熱交換器は屈曲部を有してなり、背面側に配置される熱交換器と略「Λ」状（逆Ｖ字状）に互いに立て掛けるようにして設置されている。熱交換器９で熱交換された空気はケーシング５を通り空気吹出口３から室内へと送風される。ここで、ケーシング５は上部吸込口１と空気吹出口３とを連通する風路を有する部位である。
【００２２】
ここで、空気吹出口３は化粧カバー２の前面下部の位置に形成されている。また、空気吹出口３は例えばドレンパンと表裏が射出成形などで一体化された形状となるように成形されている（詳細後記）。また空気吹出口３には、風向を上下に変えることのできる上下風向板、および風向を左右に変えることのできる左右風向板などの風向板６が備えられている（図２では上下風向板のみ図示）。なお、図２中の符号１２ａは前面側熱交換器の下方に備えられたドレンパン（露受け皿）である。
【００２３】
次に、図３を参照しながら、本実施形態にかかる空気調和機の室内機１Ａの上面に設けられた上部吸込口１の大きさについて説明する。図３は本発明の実施形態にかかる空気調和機の室内機の上面図である。
【００２４】
前記した通り、幅寸法Ｆは熱交換器９の長手方向の幅寸法に相当している。室内機１Ａの幅寸法Ｆの領域の下方には、熱交換器９、および熱交換器９の下方にケーシング５（図２参照）と貫流ファン４とが備えられている。また、幅寸法Ｇの領域は幅寸法Ｆの右側に隣接する領域である。幅寸法Ｇの領域の下方には、電気品箱１１（図３では不図示）や、貫流ファン４（図２参照）を駆動するモータ１０（図３では不図示）が収納される空間部が設けられている。
【００２５】
ところで一般に、室内機１Ａの通風抵抗を低減し風量を増大させるなどの送風性能を向上させるために、上部吸込口１の短手方向の奥行寸法Ｈを大きくする方法が知られている。しかし、上部吸込口１の奥行寸法Ｈを大きくすることは、室内機１Ａの奥行寸法を大きくすることと略同義であり、外観上のスリムなデザインと調和することが望まれる。
【００２６】
そこで本発明の実施形態では、上部吸込口１の短手方向の長さは所定値のままで、長手方向の長さを幅寸法Ａ、すなわち幅寸法Ｆに幅寸法Ｇを加えた長さまで拡大した。これによって、通風抵抗を低減し吸気量を増大して風量を増大させ、送風性能の向上を図った。つまり、室内機１Ａは、前記した比較例にかかる空気調和機の室内機１Ｃとは異なって、モータ１０や電気品箱１１の上方においても上部吸込口１が設けられている。但し、上部吸込口１を拡げると、吸い込んだ空気がエアフィルタ８を通過せずに熱交換器９に流れてしまう。ゆえに、エアフィルタ８の長手方向の幅寸法を上部吸込口１の拡張に対応して幅寸法Ａとし、熱交換器９の長手方向の幅寸法つまり幅寸法Ｆより大きくなるようにしている。
以上を換言すると、本発明の実施形態にかかる室内機１Ａの上部吸込口１およびエアフィルタ８は、熱交換器９、モータ１０および電気品１１の上方に位置している。
なお、比較例にかかる室内機１Ｃの内部においては、幅寸法Ｆに相当する空間と幅寸法Ｇに相当する空間とは前記の通り図示しない遮蔽板で遮蔽されていた。しかし、本実施形態にかかる室内機１Ａでは、当該遮蔽板は取り払われている（理由については図６（ａ）で後記）。
【００２７】
次に、図４を参照しながら、本実施形態にかかる空気調和機の室内機１Ａに備えられるエアフィルタについて説明する。図４はエアフィルタ８の斜視図である。
図４に示すように、エアフィルタ８は吸い込んだ空気中の塵挨を取るメッシュ部８ｂと、エアフィルタ８の形状保持や剛性を補うための格子部８ｃと、エアフィルタ８を室内機１Ａから引き出して着脱させる際の掴み手となる取っ手部８ａとを含んでなる。
【００２８】
ここで、取っ手部８ａはエアフィルタ８を室内機１Ａから手前側に引き出して取り外す際の取っ手となる部位である。取っ手部８ａは化粧カバー２の正面側の一部を構成しており、化粧カバー２の表面と段差やずれなどがない連続性を有する意匠面（表面）となっている。換言すると、取っ手部８ａの表面は、化粧カバー２の表面と段差およびずれのない連続性を備えている。
【００２９】
ところで、上面吸込口１は全面に亘ってエアフィルタ８が装着されている。ゆえに、吸い込まれた空気は確実にエアフィルタ８を通る。また、エアフィルタ８は格子部８ｃを備えているので、格子部８ｃを備えない場合と比較して室内機１Ａの剛性を増すことができる。さらには、エアフィルタ８の取っ手部８ａは室内機１Ａの正面側の一部を構成しており、意匠性を備えている。ゆえに、エアフィルタ８を別途パネルなどで隠さなくても済むので、原価低減に寄与することができる。
【００３０】
図５は本発明の実施形態にかかる空気調和機の室内機１Ａの、化粧カバー２を外した時の正面図である。熱交換機９の側面には貫流ファン４を回転させるモータ１０と電気品箱１１が並列して配設されている。換言すると、本実施形態の室内機１Ａでは、長手方向の側面視において電気品箱１１（電気品）の少なくとも一部は熱交換器９と重なって配設されている。
ここで、上部吸込口１はモータ１０と電気品箱１１の上部においても上方に開口して設けられている。ゆえに、この部分で吸い込んだ空気を、確実に熱交換器９に通すことが望まれる。そのため、図５に示すように、本実施形態の室内機１Ａは、室内機１Ａの上面からモータ１０の上部までの距離Ｅが、室内機１Ａの上面から電気品箱１１の上部までの距離Ｄよりも大きくなるようにされている（Ｅ＞Ｄ）。換言すると、室内機１Ａの上部吸込口１に装着されたエアフィルタ８からモータ１０の上部までの距離は、同じくエアフィルタ８から電気品を収容する電気品箱１１の上部までの距離よりも、大きくなるようにされている。
【００３１】
これによって、電気品箱１１の上方の上部吸込口１から吸い込まれた空気は、スムーズにモータ１０の方向へ誘導される。そして、熱交換器９の長手方向左右の側面部に設けられた不図示の遮蔽板を避けるように周囲に迂回して、熱交換器９へと導かれる（図５の実線矢印を参照）。さらには、モータ１０や電気品箱１１の発熱も、この空気の流れによって冷却されて解消される。
【００３２】
図６は空気調和機の室内機のキャビネットのモータ付近の背面図であって、（ａ）は本発明の実施形態にかかる図、（ｂ）は比較例にかかる図である。なお、キャビネット１２については図７（ａ）で後記する。
図６（ａ）に示すように、本実施形態の室内機１Ａのキャビネット１２のモータ１０付近の背面部Ｊ、電気品箱１１付近の背面部Ｋにはいずれも、スリット１４が形成されていない。換言すると、キャビネット１２のモータ１０および電気品箱１１（電気品）が配設される背面部Ｊ，Ｋには、外気と連通してモータ１０または電気品の放熱を促す排熱機構が設けられていない。ここで、排熱機構とは、スリットによる自然放熱でもよいし、電動ファンによる強制排熱であってもよい。
さらには、本実施形態の室内機１Ａは図３および図５などで説明した通り、上面視で幅寸法Ｇの領域（直下にモータ１０および電気品箱１１が収納されている部分）にも上部吸込口１が形成され、幅寸法Ｆに相当する内部空間と幅寸法Ｇに相当する内部空間とを遮蔽する遮蔽板が廃止されている。このようにスリット１４を廃止することによって、エアフィルタ８を介して上部吸込口１から吸気してモータ１０および電気品箱１１を空冷したのち、その空気を確実に熱交換器９へと誘導することができる。
【００３３】
これに対して、図６（ｂ）に示すように、比較例にかかる空気調和機の室内機１Ｃのキャビネット１２Ｃのモータ１０付近の背面部Ｊには、これら電子部品が発生する熱の排熱対策として、スリット１４が設けられているものがあった。なお、図６（ｂ）ではモータ１０の背面部Ｊにスリット１４を備えているが、同様の目的で電気品箱１１の背面部Ｋにスリット１４が備えられるものもある。
このように比較例でスリット１４が設けられた理由は、比較例の室内機１Ｃの場合、上面視で幅寸法Ｇの領域（直下にモータ１０および電気品箱１１が収納されている部分）は格子８ｄの下部が目張りされ（図９参照）、排熱に改善策を要していたことによっている。
【００３４】
図６（ｂ）のような比較例では、エアフィルタ８Ｃを介していない空気を、スリット１４から室内機１Ｃの内部に取り込んでしまう場合があった。しかし、本実施形態の室内機１Ａでは、スリット１４が設けられておらず、内部に導入するすべての空気を、エアフィルタ８を介する構成とすることができる。また、スリット１４を設けないことによって、室内機１Ａの製作工数を削減させ、生産効率を高めることができる。
【００３５】
図７は、空気調和機の室内機のキャビネットを示す斜視図であって、（ａ）は本発明の実施形態にかかる図で上方から見た図、（ｂ）は本発明の実施形態にかかる図で下方から見た図、（ｃ）は比較例にかかる図で下方から見た図である。
【００３６】
図７（ａ）に示すように本実施形態にかかる室内機１Ａのキャビネット１２は、前面側の熱交換器９の下方にドレンパン１２ａを備えるとともにその下部には空気吹出口３を備えている。なお、キャビネット１２は、熱交換器９と、貫流ファン４（送風機）と、貫流ファン４を駆動するモータ１０と、モータ１０を制御する電気品（電気品箱１１の内部に収容）とが配設される部位である。図７（ａ）に示すように、キャビネット１２には、ケーシング５と空気吹出口３とが具備されている。
そして図７（ｂ）に示すように、本実施形態の室内機１Ａのキャビネット１２は、ドレンパン１２ａとドレンパン１２ａの反対側（紙面下側）に形成された空気吹出口３と射出成形などで一体成形されている。つまり、空気吹出口３の左右両側面は、キャビネット１２のケーシング５と射出成形などで一体となるようにして形成されている。換言すると、ドレンパン１２ａ（露受け皿）はケーシング５を含むキャビネット１２と射出成形などで一体で成形されている。（但し、図７（ａ）に示される風向板６はキャビネット１２とは別体である。）
【００３７】
これに対して、図７（ｃ）に示すように、比較例にかかる空気調和機の室内機１Ｃのキャビネット１２Ｃでは、キャビネット１２Ｃと、ドレンパン１２ａＣおよび空気吹出口３Ｃを含んでなる一体物とは、互いに別成形されたものを嵌め合わせることで構成されている。
【００３８】
このように、本実施形態ではドレンパン１２ａおよび空気吹出口３を含んでなる一体物がキャビネット１２とも射出成形などで一体成形されている。これによって、嵌め合わせ部がなくなるので、比較例では存在した嵌め合わせ部の隙間が存在しない。ゆえに、上部吸込口１から吸込まれて熱交換器９を通らずにケーシング５の内部の風路（図２も併せて参照）に侵入しようとする空気の流れを確実に遮断することが出来る。つまり、本実施形態では上部吸込口１から空気が室内機１Ａの内部に導入されるが、この空気を確実に熱交換器９へ誘導できるので、高い熱効率を実現することができる。
つまり、本実施形態の室内機１Ａでは、前記した通り長手方向の側面視において電気品箱１１（電気品）の少なくとも一部は熱交換器９と重なっているとともに、上部吸込口１から吸い込まれた空気の流れから見て、電気品箱１１（電気品）の下流に熱交換器９が位置するようにされている。このような構成を備えることによって、上部吸込口１から空気が吸い込まれて電気品箱１１（電気品）が冷却されやすくなる。また、電気品箱１１（電気品）の熱を吸熱した空気は、ケーシング５の内部の風路（図２も併せて参照）には侵入せず、確実に熱交換器９へと誘導される。これによって、高い熱効率を実現することができる。
また、熱交換器９を通らずにケーシング５の内部に侵入する空気流路が存在しないので、ケーシング５内の例えば空調された冷気と、熱交換器９で熱交換されていない暖かい空気が混ざることがない。これによって、ケーシング５が結露しないようにすることができる。
【００３９】
（作用・効果）
本発明の実施形態にかかる空気調和機の室内機の作用・効果をまとめると、以下のようになる。
本発明の実施形態にかかる空気調和機の室内機１Ａは、空気の吸込口を上面に設けている（図１の上部吸込口１）。この際、風量を拡大するために、室内機１Ａの長手方向であってモータ１０や電気品箱１１の上方まで、上部吸込口１の面積を拡大している。これによって、室内機１Ａの短手方向つまり奥行寸法は所定値のままとしても風量を増大させることができ、空調に最適な所望の風量を確保することができる。
【００４０】
また、室内機１Ａは、部品点数を少なくするために前面パネル部が化粧カバー２と射出成形などで一体構造となるように成形されている。つまり、前面パネル部を化粧カバー２に別途組み付ける必要がなく、シンプルな構造となるので、製造原価を低減させることができる。
また、意匠面となる前面パネル部に相当する正面側の化粧カバー２の位置に、空気の吸込口となるスリットを設けなくて済むためフラットなデザインが可能となり、意匠性が向上する。
【００４１】
また、室内機１Ａの化粧カバー２の上部にはエアフィルタ８が配設されている。この際、エアフィルタ８は、少なくとも上面視または正面視で左右対称性を具備するように室内機１Ａに配設されている。つまり、エアフィルタ８は室内機１Ａの左右対称位置に配置できるので、デザイン性に優れている。また、エアフィルタ８の取っ手部８ａは化粧カバー２の意匠面の一部を構成するようにされているので、エアフィルタ８を覆うカバー部材などを省くことができ、原価低減に寄与できる。また、意匠性の向上にも寄与することができる。さらには、エアフィルタ８には格子部８ｃが備えられているので、室内機１Ａの強度を向上させることもできる。
【００４２】
また、室内機１Ａの上部、例えばエアフィルタ８からモータ１０までの距離は、エアフィルタ８から電気品箱１１までの距離よりも大きくなるようにされている。これによって、例えば電気品箱１１の上方の上部吸込口１から空気を吸い込んだ場合でも、室内機１Ａを短手方向に切断して見た場合の流路断面積を徐々に拡大させることができる。つまり、上部吸込口１から熱交換器９の方向に向けて流路抵抗を徐々に低減することができる。よって、熱交換器９の側に風を送りやすくされている。
【００４３】
また、キャビネット１２のモータ１０付近の背面部Ｊ、電気品箱１１付近の背面部Ｋにはいずれも、排熱機構であるスリット１４を備えていない。これによって、上部吸込口１から吸気した空気を、確実に熱交換器９の側へ誘導することができる。また、室内機１Ａの強度アップを実現できる。また、室内機１Ａの内部へのスリット１４を介した塵埃の侵入を防止することもできる。
【００４４】
また、ドレンパン１２ａと空気吹出口３とを含んでなる一体物と、キャビネット１２とが射出成形などで一体成形されている。ゆえに、比較例の場合とは異なってこれらが嵌め合わせされる部分が存在しない。ゆえに、実施形態にかかる室内機１Ａは、これらが嵌め合わされる場合の隙間が生じえない。つまり、熱交換器９を介さずに当該隙間からケーシング５の内部へ流入する空気流路が存在しないので、吸い込んだ空気を確実に熱交換器９に誘導することができる。このようにすることによって熱交換効率を高めることができる。また、異なる温度の空気がケーシング５の内部に混入しないので、ケーシング５の内部における結露の発生を防止することができる。
【００４５】
（変形例）
次に、図８（ａ）〜図８（ｃ）を参照しながら、本実施形態の変形例にかかる空気調和機の室内機１Ｂのエアフィルタ８Ｂについて説明する。なお、図８（ａ）は室内機全体の外観が分かる斜視図、図８（ｂ）はエアフィルタの斜視図、図８（ｃ）は図８（ａ）のＹ−Ｙ矢視断面図である。また、実施形態と同様の構成については同一の符号を付して、詳しい説明を省略する。
室内機１Ｂのエアフィルタ８Ｂは、図８（ａ）に示すように、室内機１Ａのエアフィルタ８と比較して、取っ手部８ａＢがエアフィルタ８Ｂの短手方向（図８（ａ）では右側の取っ手部８ａＢのみ図示）に設けられている点が異なっている。換言すると、エアフィルタ８Ｂは左右の側面側に取っ手部８ａＢが備えられている。また、外観のデザイン性を考慮して、上面視で左右対称となるように設けられるとともに、側面視でも前後方向に関して対称（シンメトリ）性を備えるようにされている。換言すると、エアフィルタ８Ｂは少なくとも上面視または正面視で左右対称性を具備するように室内機１Ｂに配設されている。それ以外の点、例えば取っ手部８ａＢは、化粧カバー２Ｂと連続性を有する意匠面を備える点などは、実施形態のエアフィルタ８と同様である。また、エアフィルタ８Ｂのレール片８ｇを化粧カバー２Ｂにスライド挿入させる点や、エアフィルタ８Ｂの面積などの条件も、実施形態のエアフィルタ８と同様である。
なおエアフィルタ８Ｂは、図８（ｂ）に示すように、例えば長手方向に形成されたレール片８ｇの一部に突起８ｈが備わるようにされている。そして、図８（ｃ）に示すように、この突起８ｈが、化粧カバー２Ｂのこれと対応して設けられた凹部８ｉと係り合うようにすればよい。このようにすれば、エアフィルタ８Ｂと化粧カバー２Ｂとを左右方向に係り止めすることができる。
また、取っ手部８ａＢにはエアフィルタ８Ｂを押圧して化粧カバー２Ｂから押し出す際の滑り止めとして、摩擦係数を高める適宜の処理が施されていてもよい（図８（ｂ）のハッチング領域を参照）。但しこれには特に限定されない。
【００４６】
このようなエアフィルタ８Ｂとしても、実施形態のエアフィルタ８と同様の効果を奏することができる。むしろ、意匠面を構成する取っ手部８ａＢを化粧カバー２Ｂの短手方向に設けることによって、正面視においてはエアフィルタ８Ｂは視認されないようにできる。つまり、実施形態よりも意匠性を向上させることができるので、より好適であると言える。
【００４７】
上記した実施形態または変形例は、本発明を分かりやすくするために詳細に説明したものであり、必ずしも、説明した全ての構成を備えるものに限定されるものではない。
【００４８】
また、ある実施形態または変形例の構成の一部を他の実施形態または変形例の構成に置き換えることが可能であり、また、ある実施形態または変形例の構成に、他の実施形態または変形例の構成の一部もしくは全てを加えることも可能である。
また、実施形態または変形例の構成の一部について、他の構成の追加・削除・置換をすることが可能である。
【符号の説明】
【００４９】
１      上部吸込口（吸込み口）
２      化粧カバー
３      空気吹出口（吹出し口）
４      貫流ファン（送風機）
５      ケーシング
６      風向板
８      エアフィルタ
８ａ    取手部
８ｂ    メッシュ部
８ｃ    格子部
９      熱交換器
１０    モータ
１１    電気品箱（電気品）
１２    キャビネット
１２ａ  ドレンパン（露受け皿）
１３    前面パネル
１３ａ  前面吸込口
１４    スリット（排熱機構）
【図１】
2016205675.tif 000003
【図２】
2016205675.tif 000004
【図３】
2016205675.tif 000005
【図４】
2016205675.tif 000006
【図５】
2016205675.tif 000007
【図６】
2016205675.tif 000008
【図７】
2016205675.tif 000009
【図８】
2016205675.tif 000010
【図９】
2016205675.tif 000011